(57)【特許請求の範囲】
【請求項１】
振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号合成方法であって、
制御部が、前記演奏情報に応じて算出される前記弦に及ぼす力を表す第１の情報、および前記弦支持端の少なくとも一端における変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算過程と、
制御部が、前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算過程において取得される前記第２の情報を算出する本体モデル計算過程と、
制御部が、前記第５の情報に基づいて、前記楽音信号を算出する楽音信号計算過程と
を備えることを特徴とする楽音信号合成方法。
【請求項２】
振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号合成方法であって、
制御部が、前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算過程と、
制御部が、前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算過程において取得される前記第２の情報を算出する本体モデル計算過程と、
制御部が、前記第５の情報に基づいて、前記楽音信号を算出する楽音信号計算過程と
を備えることを特徴とする楽音信号合成方法。
【請求項３】
振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号合成方法であって、
制御部が、前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算過程と、
制御部が、前記第４の情報を用いた前記本体の振動を表す第２運動方程式に基づいて、前記本体の各固有振動モードのモード座標上での変位の時間に関するｎ階導関数（ｎ＝１，２，・・・）を表す第５の情報を算出し、前記第５の情報に基づいて前記弦モデル計算過程において取得される前記第２の情報を算出する本体モデル計算過程と、
制御部が、前記第５の情報に基づいて、前記楽音信号を算出する楽音信号計算過程と
を備えることを特徴とする楽音信号合成方法。
【請求項４】
前記弦は複数であり、
前記弦モデル計算過程においては、制御部が、前記演奏情報に応じて算出される各弦に対応する前記第１の情報、および各弦に対応する前記第２の情報を取得し、各弦に対応する前記第１運動方程式に基づいて、各弦に対応する前記第３の情報および前記第４の情報を算出し、
前記本体モデル計算過程においては、制御部が、各弦に対応する前記第４の情報を用いた前記第２運動方程式に基づいて、前記第５の情報を算出し、前記第５の情報に基づいて各弦に対応する前記第２の情報を算出する
ことを特徴とする請求項１乃至請求項３のいずれかに記載の楽音信号合成方法。
【請求項５】
前記第１運動方程式は、前記弦の変位を、任意の時間関数を係数とする有限フーリエ正弦級数と前記２つの弦支持端を結んだ直線の変位との和により表している
ことを特徴とする請求項１乃至請求項４のいずれかに記載の楽音信号合成方法。
【請求項６】
前記楽器は、前記弦を打つハンマを有し、
前記弦モデル計算過程において取得する前記第１の情報には、前記演奏情報に応じて打弦する前記ハンマからの前記弦に及ぼす力が含まれる
ことを特徴とする請求項１乃至請求項５のいずれかに記載の楽音信号合成方法。
【請求項７】
前記楽器は、前記弦の振動を抑制するダンパを有し、
前記弦モデル計算過程において取得する前記第１の情報には、前記演奏情報に応じて弦の振動を抑制する前記ダンパからの前記弦に及ぼす力が含まれる
ことを特徴とする請求項１乃至請求項６のいずれかに記載の楽音信号合成方法。
【請求項８】
コンピュータに、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成させるプログラムであって、
前記コンピュータを、
前記演奏情報に応じて算出される前記弦に及ぼす力を表す第１の情報、および前記弦支持端の少なくとも一端における変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、
前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、
前記第５の情報に基づいて、前記楽音信号を算出する楽音信号計算手段
として機能させるためのプログラム。
【請求項９】
コンピュータに、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成させるプログラムであって、
前記コンピュータを、
前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、
前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、
前記第５の情報に基づいて、前記楽音信号を算出する楽音信号計算手段
として機能させるためのプログラム。
【請求項１０】
コンピュータに、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成させるプログラムであって、
前記コンピュータを、
前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、
前記第４の情報を用いた前記本体の振動を表す第２運動方程式に基づいて、前記本体の各固有振動モードのモード座標上での変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、
前記第５の情報に基づいて、前記楽音信号を算出する楽音信号計算手段
として機能させるためのプログラム。
【請求項１１】
振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号生成装置であって、
前記演奏情報に応じて算出される前記弦に及ぼす力を表す第１の情報、および前記弦支持端の少なくとも一端における変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、
前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、
前記第５の情報に基づいて、前記楽音信号を算出する楽音信号計算手段と
を具備することを特徴とする楽音信号生成装置。
【請求項１２】
振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号生成装置であって、
前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、
前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、
前記第５の情報に基づいて、前記楽音信号を算出する楽音信号計算手段と
を具備することを特徴とする楽音信号生成装置。
【請求項１３】
振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号生成装置であって、
前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、
前記第４の情報を用いた前記本体の振動を表す第２運動方程式に基づいて、前記本体の各固有振動モードのモード座標上での変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、
前記第５の情報に基づいて、前記楽音信号を算出する楽音信号計算手段と
を具備することを特徴とする楽音信号生成装置。
【発明の詳細な説明】
【技術分野】
【０００１】
本発明は、自然楽器における発音機構（発音メカニズム）に立脚した所定の物理モデルに従って、シミュレーションを行うことにより楽音信号を合成する技術に関する。特に、弦および本体（弦を支持し、空気中に音響を放射する部品）を有する３次元構造の楽器から発せられる音が有する特質をリアルに表現した疑似楽器音を生成するのに好適な楽音信号合成方法、プログラムおよび楽音信号合成装置に関する。
【背景技術】
【０００２】
従来から、汎用コンピュータ、ＤＳＰ（Digital Signal Processor）等のデジタル信号処理装置、集積回路、大規模集積回路等を含んで構成された専用ハードウエア装置において、自然楽器の発音機構（発音メカニズム）に立脚した所定の物理モデルに従って、シミュレーションを行うことにより、自然楽器の楽音を疑似的（仮想的）に合成する方法が知られている。例えば、疑似ピアノ音を発生させたい場合、弦と響板の物理モデルに従って、汎用コンピュータでシミュレーション演算を実行させることにより、楽音信号を合成するということが行われている。このような方法を用いた楽音合成装置は、例えば、特許文献１に記載されている。また、非特許文献１には、疑似ピアノ音の合成時に「弦の非線形振動機構」を取り入れることを試みた例が記載されている。
【先行技術文献】
【特許文献】
【０００３】
【特許文献１】特表２００９−５４４９９５号公報
【非特許文献】
【０００４】
【非特許文献１】A Modal-Based Real-Time Piano Synthesizer, PUBLISHED IN IEEE TRANS. ON AUDIO, SPEECH, AND LANGUAGE PROCESSING, VOL. 18, NO. 4, PP. 809-821, MAY 2010
【発明の概要】
【発明が解決しようとする課題】
【０００５】
ピアノの弦は、その一端が本体の一部であるフレーム上のベアリングで支持され、他の一端が本体の一部である響板上の駒で支持されている。鍵を押すと、対応する弦がダンパから解放されると同時に、ハンマに運動エネルギが与えられる。ハンマが弦を打つことによって弦の中に励起した波動のエネルギは、一部がこれらの支持端を介して本体に透過し、残りが支持端で反射されることによって弦の中に留まる。弦の中に生まれた波動が弦支持端間の往復を繰り返すことによって、振動が生まれる。弦の軸方向に直交する方向の振動、即ち、曲げ振動は、最初、ハンマによって打たれた方向に生じるが、３次元運動を行う駒の影響により、それと直交する方向にも生じる。弦は、上記２方向の曲げ振動の他に弦軸方向の振動、即ち、縦振動も行う。
【０００６】
ダンパペダルを踏み込むことによって、全ての弦がダンパから解放されるとき、ハンマに打たれていない弦までもが、本体からエネルギをもらうことによって振動を始める。このように、ピアノの発音は、弦が本体を振動させるだけでなく、本体も弦を振動させる３次元連成振動機構によっている。そして、響板、フレーム、支柱、側板などから構成される複雑な３次元形状を有する本体の全表面から空気中に音響が放射されることによって、豊かで立体的なピアノ特有の楽音が生成される。
【０００７】
ところで、標準的な８８鍵ピアノのおよそ第４０鍵より下の音域においては、「リンリン」、「ヒンヒン」、あるいは「ヒーン」、「キーン」といった、鈴がなるような、あるいは金属的な非調和音（以下、リンギングサウンドという）が発生する場合がある。この特徴的なリンギングサウンドは、強打時ほど際立って発生し、そのレベルが大きすぎると不快に感じられることもあるが、逆にそれが全く聴こえないとするとピアノ音は単調でつまらないものとなってしまう。このピアノ特有のリンギングサウンドの発生には、弦の非線形（有限振幅）振動が寄与している。
【０００８】
要するに、音階を生成する部品である弦と、弦を支持し、空気中に音響を放射する部品である本体とを有する３次元構造体であるピアノから発せられる楽音の特徴をリアルに表現するためには、「弦と本体との３次元連成振動機構」、「本体の３次元音響放射機構」、「弦の非線形（有限振幅）振動機構」の３点を考慮した上で高精度のシミュレーションを行う必要があるが、これを実現するための方法（計算アルゴリズム）は未だ提案されていない。
【０００９】
ピアノでは、鍵の押し込み深さ、あるいは、ダンパペダルの踏み込み深さを時間軸上でコントロールすることによって、多彩な音楽的ニュアンスを表現することができる。例えば、打鍵後、押し込んだ鍵をゆっくり離すか急に離すかによって音の止まり方のニュアンスは全く異なったものになる。また、ピアノでは、ダンパペダルを全ストロークの途中まで踏み込む「ハーフペダル」と呼ばれる奏法を用いることで、弦を「最大限共鳴させる」のではなく「適度に共鳴させる」といったことが可能となる。従来の電子音源では、上記のような多彩な止音および弦共鳴の効果を生成することはできない。
【００１０】
一般的なグランドピアノには、シフトペダルと呼ばれるペダルが備わっている。このペダルを踏み込むことで全てのハンマの位置が高音側にシフトし、ハンマの普段弦にあたっていない相対的に柔らかい部分が弦にあたるようになる。更に、それを完全に踏み込むとき、例えば、１個の鍵に対応して３本の弦が備わっている音域では、ハンマは３本中２本の弦のみを打つようになり、残りの１本は共鳴弦として働くようになる。従来の電子音源では、シフトペダルの踏み込み加減によって得られるきめ細かな音楽的ニュアンスを表現することはできない。
【００１１】
本発明は、上述の事情に鑑みてなされたものであり、弦および本体を有する３次元構造の楽器から発せられる音が有する特質をリアルに表現した疑似楽器音を生成することができる楽音信号合成方法、プログラムおよび楽音信号合成装置を提供することを目的とする。
【課題を解決するための手段】
【００１２】
上述の課題を解決するため、本発明は、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号合成方法であって、制御部が、前記演奏情報に応じて算出される前記弦に及ぼす力を表す第１の情報、および前記弦支持端の少なくとも一端における変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算過程と、制御部が、前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算過程において取得される前記第２の情報を算出する本体モデル計算過程と、制御部が、前記第５の情報に基づいて、前記楽音信号を算出する楽音信号計算過程とを備えることを特徴とする楽音信号合成方法を提供する。
【００１３】
また、本発明は、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号合成方法であって、制御部が、前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算過程と、制御部が、前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算過程において取得される前記第２の情報を算出する本体モデル計算過程と、制御部が、前記第５の情報に基づいて、前記楽音信号を算出する楽音信号計算過程とを備えることを特徴とする楽音信号合成方法を提供する。
【００１４】
また、本発明は、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号合成方法であって、制御部が、前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算過程と、制御部が、前記第４の情報を用いた前記本体の振動を表す第２運動方程式に基づいて、前記本体の各固有振動モードのモード座標上での変位の時間に関するｎ階導関数（ｎ＝１，２，・・・）を表す第５の情報を算出し、前記第５の情報に基づいて前記弦モデル計算過程において取得される前記第２の情報を算出する本体モデル計算過程と、制御部が、前記第５の情報に基づいて、前記楽音信号を算出する楽音信号計算過程とを備えることを特徴とする楽音信号合成方法を提供する。
【００１５】
また、別の好ましい態様において、前記弦は複数であり、前記弦モデル計算過程においては、制御部が、前記演奏情報に応じて算出される各弦に対応する前記第１の情報、および各弦に対応する前記第２の情報を取得し、各弦に対応する前記第１運動方程式に基づいて、各弦に対応する前記第３の情報および前記第４の情報を算出し、前記本体モデル計算過程においては、制御部が、各弦に対応する前記第４の情報を用いた前記第２運動方程式に基づいて、前記第５の情報を算出し、前記第５の情報に基づいて各弦に対応する前記第２の情報を算出することを特徴とする。
【００１６】
また、別の好ましい態様において、前記第１運動方程式は、前記弦の変位を、任意の時間関数を係数とする有限フーリエ正弦級数と前記２つの弦支持端を結んだ直線の変位との和により表していることを特徴とする。
【００１７】
また、別の好ましい態様において、前記楽器は、前記弦を打つハンマを有し、前記弦モデル計算過程において取得する前記第１の情報には、前記演奏情報に応じて打弦する前記ハンマからの前記弦に及ぼす力が含まれることを特徴とする。
【００１８】
また、別の好ましい態様において、前記楽器は、前記弦の振動を抑制するダンパを有し、前記弦モデル計算過程において取得する前記第１の情報には、前記演奏情報に応じて弦の振動を抑制する前記ダンパからの前記弦に及ぼす力が含まれることを特徴とする。
【００１９】
また、本発明は、コンピュータに、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成させるプログラムであって、前記コンピュータを、前記演奏情報に応じて算出される前記弦に及ぼす力を表す第１の情報、および前記弦支持端の少なくとも一端における変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、前記第５の情報に基づいて、前記楽音信号を算出する楽音信号計算手段として機能させるためのプログラムを提供する。
【００２０】
また、本発明は、コンピュータに、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成させるプログラムであって、前記コンピュータを、前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、前記第５の情報に基づいて、前記楽音信号を算出する楽音信号計算手段として機能させるためのプログラムを提供する。
【００２１】
また、本発明は、コンピュータに、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成させるプログラムであって、前記コンピュータを、前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、前記第４の情報を用いた前記本体の振動を表す第２運動方程式に基づいて、前記本体の各固有振動モードのモード座標上での変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、前記第５の情報に基づいて、前記楽音信号を算出する楽音信号計算手段として機能させるためのプログラムを提供する。
【００２２】
また、本発明は、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号生成装置であって、前記演奏情報に応じて算出される前記弦に及ぼす力を表す第１の情報、および前記弦支持端の少なくとも一端における変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、前記第５の情報に基づいて、前記楽音信号を算出する楽音信号計算手段とを具備することを特徴とする楽音信号生成装置を提供する。
【００２３】
また、本発明は、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号生成装置であって、前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、前記第４の情報を用いた前記本体の振動を表す第２運動方程式に基づいて、前記本体の各固有振動モードのモード座標上での変位または変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、前記第５の情報に基づいて、前記楽音信号を算出する楽音信号計算手段とを具備することを特徴とする楽音信号生成装置を提供する。
【００２４】
また、本発明は、振動する弦と、前記弦を２つの弦支持端によって支持し、前記弦の振動が前記弦支持端の少なくとも一端を介して伝達される本体とを有する３次元構造の楽器から発せられる音の楽音信号を、入力される演奏情報に応じて生成する楽音信号生成装置であって、前記演奏情報に応じて算出される前記弦に及ぼす力を表す第１の情報、および前記弦支持端の少なくとも一端における変位または変位の時間に関するｎ階導関数（ｎ＝１，２，・・・）を表す第２の情報を取得し、前記第１の情報および前記第２の情報を用いた前記弦の振動を表す第１運動方程式に基づいて、前記弦の各固有振動モードのモード座標上での変位または変位の時間に関するｎ階導関数（ｎ＝１，２，・・・）を表す第３の情報を算出し、前記第２の情報および前記第３の情報に基づいて、前記弦が前記弦支持端の少なくとも一端に及ぼす力を表す第４の情報を算出する弦モデル計算手段と、前記第４の情報を用いた前記本体の振動を表す第２運動方程式に基づいて、前記本体の各固有振動モードのモード座標上での変位の時間に関するｎ階導関数（ｎ＝１，２，・・・）を表す第５の情報を算出し、前記第５の情報に基づいて前記弦モデル計算手段において取得される前記第２の情報を算出する本体モデル計算手段と、前記第５の情報に基づいて、前記楽音信号を算出する楽音信号計算手段とを具備することを特徴とする楽音信号生成装置を提供する。
【発明の効果】
【００２５】
本発明によれば、弦および本体を有する３次元構造の楽器から発せられる音が有する特質をリアルに表現した疑似楽器音を生成することができる楽音信号合成方法、プログラムおよび楽音信号合成装置を提供することができる。
【図面の簡単な説明】
【００２６】
【図１】本発明の実施形態に係る電子楽器の構成を示すブロック図である。
【図２】本発明の実施形態に係る変換部と楽音信号合成部との関係を説明する図である。
【図３】本発明の実施形態に係る楽音信号合成部の構成を示すブロック図である。
【図４】標準的なグランドピアノの構成を説明する図である。
【図５】本発明の実施形態に係る演算部を有する楽音信号合成部の構成を示すブロック図である。
【図６】本発明の変形例１に係る楽音信号合成部の構成を示すブロック図である。
【図７】本発明の変形例２に係る電子楽器の構成を示すブロック図である。
【図８】本発明の変形例２に係る楽音信号合成部の構成を示すブロック図である。
【図９】本発明の変形例３に係る電子楽器の構成を示すブロック図である。
【図１０】本発明の変形例３に係る楽音信号合成部の構成を示すブロック図である。
【図１１】本発明の変形例４に係る電子楽器の構成を示すブロック図である。
【図１２】本発明の変形例４に係る楽音信号合成部の構成を示すブロック図である。
【発明を実施するための形態】
【００２７】
＜実施形態＞
［電子楽器１の構成］
図１は、本発明の実施形態に係る電子楽器１の構成を示すブロック図である。電子楽器１は、例えば、電子ピアノであり、制御部１１、記憶部１２、ユーザ操作部１３、演奏操作部１５および放音部１７を有している。これらの各部は、バス１８を介して互いに接続されている。
【００２８】
制御部１１は、ＣＰＵ（Central Processing Unit）１１ａ、ＤＳＰ１１ｂ、他の図示しない周辺回路、ＲＯＭ（Read Only Memory）１１ｃ、ＲＡＭ（Random Access Memory）１１ｄ、信号インターフェイス１１ｅおよび内部バス１１ｆを有する。ＤＭＡ（Direct Memory Access)コントローラ、ビデオプロセッサは他の周辺回路として含まれていてもよい。ＣＰＵ１１ａは、ＲＯＭ１１ｃに記憶されている制御プログラムを読み出して、ＲＡＭ１１ｄにロードして実行することにより、電子楽器１の各部について、バス１８を介して制御し、後述する楽音信号合成処理を行う楽音信号合成部１００、演奏情報を楽音信号合成部１００に入力される信号に変換する処理を行う変換部１１０などを実現する。また、ＲＡＭ１１ｄは、ＣＰＵ１１ａが各データの加工などを行う際のワークエリアとして機能する。
【００２９】
記憶部１２は、例えば、ハードディスクなどの記憶手段であって、ＭＩＤＩ（Musical Instrument Digital Interface）データなどの楽音制御データ、後述する楽音信号合成処理により生成した楽音信号などを記憶する。楽音制御データは、この例においては、鍵の押込量、ダンパペダル踏込量、シフトペダル踏込量（さらに、ハンマ速度が含まれていてもよい）の時刻の進行に応じた変化を示すデータを含んでいる。これらのデータは、情報記憶媒体ＤＰ（例えば、コンパクトディスク）からロードされたり、ネットワークを介してサーバからダウンロードされたりしたものであってもよく、必ずしも記憶部１２に記憶されていなくてもよい。
【００３０】
ユーザ操作部１３は、操作パネル１３ａおよび表示部１４を有する。操作パネル１３ａには、例えば、マウス１３ｂ、操作スイッチ１３ｃ、キーボード１３ｄなどである。ユーザがマウス１３ｂ、操作スイッチ１３ｃ、キーボード１３ｄを操作するとその操作内容を表すデータが制御部１１へ出力される。これにより、ユーザは電子楽器１に指示を行う。表示部１４は、映像を画面に表示する液晶ディスプレイなどの表示デバイスであって、制御部１１に制御され、メニュー画面などの各種画面を表示する。メニュー画面は、電子楽器１に電力が供給されると、自動的に表示されるようにしてもよい。
【００３１】
演奏操作部１５は、鍵盤部１５ａおよびペダル部１６を有する。鍵盤部１５ａは、電子ピアノなどの鍵盤部分に相当するものであって、複数の鍵（黒鍵１５ｂ、白鍵１５ｃ）が並べられた鍵盤を有する。また、鍵盤部１５ａにおける各鍵１５ｂ、１５ｃには、各鍵を押し込まれると、その鍵の押込量を表す情報を出力する鍵位置センサ１５ｄ、および押込速度を表す情報を出力する鍵速度センサ１５ｅが設けられている。鍵盤部１５ａは、鍵の押込量を表す情報をアナログ形式からデジタル形式に変換した情報ＫＳを出力し、また、押込速度を表す情報をアナログ形式からデジタル形式に変換した情報ＫＶを、バス１８を介して制御部１１の信号インターフェイス１１ｅまで定期的に出力する。鍵盤部１５ａは、これらの情報ＫＳ、ＫＶを、押し込まれた鍵を表す情報ＫＣ（例えば、鍵番号）とともに出力する。このとき、ハンマ速度は、制御部１１において、鍵盤部１５ａから出力される情報をもとに算出される。なお、押込速度については、鍵位置センサ１５ｄから出力される鍵の押込量から算出されるようにして、鍵速度センサ１５ｅについては設けられていなくてもよい。この場合には、鍵盤部１５ａに鍵の押込量から押込速度を算出する算出部を設けてもよい。また、制御部１１のＣＰＵ１１ａにおいて、情報ＫＳから押込速度を算出するようにしてもよい。鍵盤部１５ａから出力される情報には、押込加速度を示す情報が含まれていてもよい。
【００３２】
ペダル部１６は、ダンパペダル１６ａおよびシフトペダル１６ｂに相当する複数のペダルを有する。また、ダンパペダル１６ａおよびシフトペダル１６ｂには、ペダルが踏み込まれると、そのペダルの踏込量を表す情報を出力するペダル位置センサ１６ｃが設けられている。ペダル部１６は、ペダルの踏込量を表す情報をアナログ形式からデジタル形式に変換した情報ＰＳを、バス１８を介して制御部１１の信号インターフェイス１１ｅまで定期的に出力する。ペダル部１６は、この情報ＰＳを、踏込まれたペダルを表す情報ＰＣとともに出力する。このように、鍵盤部１５ａおよびペダル部１６は、操作されることにより、上記の各情報（演奏情報）を出力する。
【００３３】
放音部１７は、デジタルアナログ変換器１７ａ、図示しないアンプおよびスピーカ１７ｂを有する。制御部１１の制御により入力される楽音信号は、デジタルアナログ変換器１７ａにおいてデジタル形式からアナログ形式に変換され、アンプで増幅され、スピーカ１７ｂから音として出力される。この楽音信号は、この例においては、後述する楽音信号合成処理の結果生成されるものである。以上が、電子楽器１の構成の説明である。
【００３４】
［変換部１１０の構成］
次に、制御部１１が制御プログラムを実行することによって実現される楽音信号合成部１００および変換部１１０について図２、図３を用いて説明する。なお、以下に説明する楽音信号合成部１００および変換部１１０における各構成の一部または全部については、ハードウエアによって実現してもよい。
【００３５】
図２は、変換部１１０と楽音信号合成部１００との関係を説明する図である。図２（ａ）に示すように、変換部１１０は、鍵盤部１５ａおよびペダル部１６から出力される演奏情報を取得し、予め記憶されている変換テーブルに基づいて、楽音信号合成部１００において用いられる信号に変換して出力する。このようにして変換部１１０から出力された信号は、楽音信号合成部１００に入力される。楽音信号合成部１００における入力信号としては、鍵盤部１５ａから出力される鍵の押込量を表す情報ＫＳ、ＫＣに応じて生成される信号（以下、入力信号１（ｅＫ（ｎΔｔ））という）、鍵の押込速度（押込加速度であってもよい）を表す情報ＫＶ、ＫＣに応じて生成されるハンマ速度を表す信号（以下、入力信号２（ＶＨ（ｎΔｔ））という）、ペダル部１６から出力されるダンパペダルの踏込量を表す情報ＰＳ、ＰＣに応じて生成される信号（以下、入力信号３（ｅＰ（ｎΔｔ））という）、シフトペダルの踏込量を表す情報ＰＳ、ＰＣに応じて生成される信号（以下、入力信号４（ｅＳ（ｎΔｔ））という）の４信号である。これらの４信号はそれぞれ、離散時間軸（ｔ＝ｎΔｔ; ｎ＝０，１，２,・・・）上の信号として楽音信号合成部１００に入力される。なお、これらの４信号は、制御部１１が記憶部１２に記憶されている楽音制御データを読み出して、変換部１１０において変換されたものであってもよい。
【００３６】
変換部１１０における変換処理について、情報ＫＳから入力信号１（ｅＫ（ｎΔｔ））への変換処理を代表して説明する。図２（ｂ）は、変換部１１０が、あるタイミングに取得した情報ＫＳに対応して入力信号１（図中においては「ｅＫ」）に変換するための変換テーブルの一例を示す図である。この例においては、ｅＫは、鍵がレスト位置（rest）から一定量押込まれると「１」から減少し始め、エンド位置（end）に至る一定量前の段階で「０」に至るように決められている。このような変換テーブルは、各入力信号に対応して設けられている。
【００３７】
［楽音信号合成部１００の構成］
図３は、楽音信号合成部１００の構成を示すブロック図である。楽音信号合成部１００は、以下で説明する複数モデル（ダンパモデル、ハンマモデル、弦モデル、本体モデル、空気モデル）から構成される物理モデルにより、擬似ピアノ音を示す楽音信号を合成する。標準的なピアノは、鍵盤には８８個の鍵が備わっており、各鍵に対応して、ハンマが１個、弦が１〜３本、ダンパが０〜複数個（弦と複数点で接触することを意味する）、備わっている。なお、弦の本数、ダンパの個数については、音域毎に異なるものとなっている。
【００３８】
図４は、標準的なグランドピアノの構成を説明する図である。上記複数のモデルは、図４に示す標準的なグランドピアノ（アコースティックピアノ）２１を前提としている。グランドピアノ２１は、８８の鍵２１ａを含む鍵盤２１ｂ、アクション機構２１ｄを介して鍵２１ａと接続されたハンマ２１ｃ、弦２１ｅ、および弦２１ｅと接触可能なダンパ２１ｆを有する。弦２１ｅは、その一端で駒２１ｅａと、他端でベアリング２１ｅｂと接続されている。鍵２１ａ、ハンマ２１ｃ、アクション機構２１ｄ、弦２１ｅ、ダンパ２１ｆは、大部分がキャビネット２１ｈ内に収められている。弦２１ｅの数およびダンパ２１ｆの接触点の数は、音域によって変化する。キャビネット２１ｈ、フレーム、木製フレーム、駒２１ｅａ、ベアリング２１ｅｂおよびピアノ音を放射する他の振動部分（響板、支柱など）は、本体２１ｊを構成する。以下の説明において、弦、ハンマ、ダンパおよび本体は、標準的なグランドピアノ２１における構成を示し、電子楽器１に含まれている構成を示すものではない。
【００３９】
図３に示す楽音信号合成部１００は、比較部１０１、ダンパモデルを対応する弦毎に計算するダンパモデル計算部１０２−１、１０２−２、ハンマモデルを計算するハンマモデル計算部１０３、弦モデルを弦毎に計算する弦モデル計算部１０４−１、１０４−２、本体モデルを計算する本体モデル計算部１０５、および空気モデルを計算する空気モデル計算部１０６を有する。
【００４０】
ダンパモデル計算部１０２−１、１０２−２は、ダンパモデルにより、ある弦２１ｅの振動を計算する。弦モデル計算部１０４−１、１０４−２は、弦モデルにより、ある弦２１ｅの振動を計算する。ハンマモデル計算部１０３、本体モデル計算部１０５および空気モデル計算部１０６は、それぞれハンマモデル、本体モデル、空気モデルにより、ある弦２１ｅの振動を計算する。
【００４１】
比較部１０１は、ダンパモデル計算部１０２−１、１０２−２に接続されている。ダンパモデル計算部１０２−１、１０２−２は、それぞれ、弦モデル計算部１０４−１、１０４−２に接続されている。ハンマモデル計算部１０３は、弦モデル計算部１０４−１、１０４−２の双方に接続されている。弦モデル計算部１０４−１、１０４−２は、本体モデル計算部１０５と接続されている。本体モデル計算部１０５は、空気モデル計算部１０６と接続されている。楽音信号合成部１００における出力信号は、空気モデル計算部１０６から出力される「空気中の観測点における音圧」の波形を示す楽音信号（以下、楽音信号（Ｐ（ｎΔｔ））という）である。
【００４２】
楽音信号合成部１００の楽音信号合成処理によって得られる楽音信号は、特定の鍵において、対応する弦が２本である場合の物理モデルによるものである。即ち、本体モデルを計算する本体モデル計算部１０５に対して、弦モデルを計算する弦モデル計算部１０４−１、１０４−２が並列に接続されている。ここで、弦が３本以上であれば、本体モデル計算部１０５に対して、並列に接続される弦モデル計算部１０４−ｉｗ（ｉｗ＝３，４，・・・）および弦モデルに接続されるダンパモデル計算部１０２−ｉｗ（ｉｗ＝３，４，・・・）を増やせばよい。また、鍵が複数存在する場合には、鍵の数に応じて、ダンパモデル計算部１０２、ハンマモデル計算部１０３および弦モデル計算部１０４の組を増やして、各鍵に対応する弦モデル計算部１０４を本体モデル計算部１０５に接続すればよい。したがって、図３に示す楽音信号合成部１００は、一般性を有している。
【００４３】
まず、この例における楽音信号合成部１００における楽音信号合成処理の物理モデルにおいては、以下に示す２７の仮定がなされている。
（仮定１）重力は無視する。
（仮定２）軸力を受けて真っ直ぐに静止している状態（以下、静的平衡状態という）にある弦は細長い円柱形状であるものとする。
（仮定３）弦の太さは不変であるものとする。即ち、はり理論を採用するものとする。
（仮定４）弦の中心軸に垂直な断面は、変形後も平面を保ち、かつ中心軸に垂直であるものとする。即ち、ベルヌイ・オイラーの仮定を採用するものとする。
（仮定５）弦の振幅は小さいが、必ずしも微小ではないものとする。
（仮定６）弦は均質であるものとする。
（仮定７）弦の応力は、ひずみに比例する成分とひずみ速度に比例する成分の和として与えられるものとする。即ち、弦には内部粘性減衰（剛性比例粘性減衰ともいう）が働くものとする。
（仮定８）弦の一端は本体の一部であるベアリング上の点で支持され、他の一端は本体の一部である駒上の点で支持されているものとする。（弦は支持端において回転を拘束されないものとする。）
（仮定９）弦と空気との間の作用・反作用は無視する。
（仮定１０）ハンマの弦に接触する部分（以下、ハンマ先端という）の形状は、円柱状であるものとし、その円柱の底面半径は無限小であるとし、その円柱の高さは他の弦と干渉しない程度であるものとする。
（仮定１１）１個のハンマに対応する弦が複数本ある場合には、それらの弦の静的平衡状態における中心軸は、同一平面上にあるものとする。
（仮定１２）１個のハンマに対応する弦が複数本ある場合には、その１個のハンマは、それらの弦の数と同じ数のハンマ先端を有するものとする。
（仮定１３）ハンマ先端（円柱）の中心軸の方向は、静的平衡状態にある弦（円柱）の中心軸の方向に直交するものとする。
（仮定１４）ハンマ重心は１つの直線上でのみ運動するものとする。
（仮定１５）ハンマ重心の運動方向は、ハンマ先端(円柱)の中心軸の方向と静的平衡状態にある弦（円柱）の中心軸の方向の両方に直交するものとする。
（仮定１６）ハンマの変形する方向は、ハンマ重心の運動方向に一致しているものとする。
（仮定１７）ハンマの圧縮力-圧縮量関係式は、指数を正の実数とするべき関数で与えられるものとする。
（仮定１８）ハンマ先端と弦表面との間には摩擦は無いものとする。
（仮定１９）ハンマと空気との間の作用・反作用は無視する。
（仮定２０）ダンパが備わっている弦については、弦の曲げ振動を静止させようとするダンパによる抵抗力が、弦の中心軸上の点（以下、止音点という）に作用するものとする。
（仮定２１）ダンパの抵抗力−速度関係式は、１次式で与えられるものとする。
（仮定２２）本体の振幅は微小であるものとする。
（仮定２３）本体は近似的に比例粘性減衰系として扱えるものとする。
（仮定２４）本体が空気から受ける反作用は無視する。
（仮定２５）空気は均質であるものとする。
（仮定２６）空気の圧力-体積ひずみ関係式は、１次式で与えられるものとする。
（仮定２７）空気は渦無しであるとする。
【００４４】
また、この例における弦の物体座標の表現には、右手系（ｘ，ｙ，ｚ）を用いる。ここで、静的平衡状態にある弦の中心軸にｘ軸を一致させ、ベアリング側支持端を原点（０，０，０）とし、駒側支持端がｘ＞０なる領域に含まれる様にｘ軸の方向を定め、ハンマ重心の打弦時運動方向をｚ軸の正方向と定める。また、本体および空気の物体座標の表現には、右手系（Ｘ，Ｙ，Ｚ）を用いる。時刻の進行（時間変数）はｔで表す。
【００４５】
以下、この例において説明する各パラメータを表す記号について説明する。
【００４６】
以下の「数１」から「数５」については、各モデルの計算にあたって入力される情報である。「数１」は、時刻の進行に伴い変動するパラメータ（時間変動パラメータ）である。一方、「数２」から「数５」は、時刻の進行に伴う変動が無いパラメータ（時間不変パラメータ）であって、予め設定されるものである。
【００４７】
以下の「数１」は、演奏に関するパラメータ、即ち、楽音信号合成部１００における入力信号に相当するものを示している。鍵、弦、ハンマ、ダンパ、本体は、それぞれ、標準的なグランドピアノ２１の構成要素２１ａ、２１ｅ、２１ｃ、２１ｆ、２１ｊを示す。
【００４８】
【数１】
0005716370.tif 000002
【００４９】
以下の「数２」は、設計に関するパラメータである。
【００５０】
【数２】
0005716370.tif 000003
【００５１】
以下の「数３」は、本体の設計および空気中観測点の位置に関するパラメータである。
【００５２】
【数３】
0005716370.tif 000004
【００５３】
以下の「数４」は、調律に関するパラメータである。
【００５４】
【数４】
0005716370.tif 000005
【００５５】
以下の「数５」は、数値計算に関するパラメータである。
【００５６】
【数５】
0005716370.tif 000006
【００５７】
以下の「数６」は、各モデルの計算により出力される情報、即ち、楽音信号である。
【００５８】
【数６】
0005716370.tif 000007
【００５９】
以下の「数７」、「数８」、「数９」は、各モデルの計算上必要なその他のパラメータである。
【００６０】
【数７】
0005716370.tif 000008
【００６１】
ここで、１個のハンマに対応する弦が１本の場合には、ＺＢ、ＸＢ、ＹＢ、およびθＨが与えられると、βｋ’ｋは一意に定まる。１個のハンマに対応する弦が複数本ある場合には、ＺＢ、ＸＢ、ＹＢが与えられると、βｋ’ｋは一意に定まる。
【００６２】
【数８】
0005716370.tif 000009
【００６３】
【数９】
0005716370.tif 000010
【００６４】
以下の「数１０」は、上記各パラメータにおいて上付き文字として記載されているインデックスの説明である。
【００６５】
【数１０】
0005716370.tif 000011
【００６６】
以下、この例における楽音信号合成部１００の各部の処理内容について、図２を用いて順に説明する。なお、以後の説明においては、インデックスを全て書くと式が煩雑になって読みづらくなるため、説明上不可欠な場合を除いて、省略することとする。
【００６７】
また、変数ｅＫ（ｔ）、ｅＰ（ｔ）、ｅＳ（ｔ）には初期値（ｔ＝０における値）として「１」が設定されている。即ち、鍵（黒鍵１５ｂ、白鍵１５ｃ）の押し込み、ダンパペダル１６ａ、シフトペダル１６ｂの踏み込みはされていない状態として設定されている。また、その他の全ての「ｔ」に関する変数には、初期値として「０」が設定されているものとする。
【００６８】
比較部１０１は、入力信号１（ｅＫ（ｎΔｔ））および入力信号３（ｅＰ（ｎΔｔ））を取得し、小さい方の値をｅＤ（ｎΔｔ）として出力する。これは、以下の式（１）で表される。
【００６９】
【数１１】
0005716370.tif 000012
【００７０】
［ダンパモデル］
ダンパモデル計算部１０２は、１番目の弦（ｉｗ＝１）に対応するダンパについて計算するダンパモデル計算部１０２−１、２番目の弦（ｉｗ＝２）に対応するダンパについて計算するダンパモデル計算部１０２−２を有する。以下の説明においては、弦のインデックスが異なるだけであるから、ダンパモデル計算部１０２として説明する。なお、弦が３本以上存在する場合には、上述したように、ダンパモデル計算部１０２−ｉｗ（ｉｗ＝３，４，・・・）を弦（ｉｗ＝３，４，・・・）に対応させて設ければよい。
【００７１】
弦モデル計算部１０４は、１番目の弦（ｉｗ＝１）について計算する弦モデル計算部１０４−１、２番目の弦（ｉｗ＝２）について計算する弦モデル計算部１０４−２を有する。以下の説明においては、弦のインデックスが異なるだけであるから、弦モデル計算部１０４として説明する。なお、弦が３本以上存在する場合には、上述したように、弦モデル計算部１０４−ｉｗ（ｉｗ＝３，４，・・・）を、本体モデル１０５に対して並列に設ければよい。（弦モデル計算部１０４の計算については、後述する。）
【００７２】
ダンパモデル計算部１０２は、比較部１０１から出力されるｅＤ（ｎΔｔ）、および後述するようにして弦モデル計算部１０４から出力されるｕｋ（ｘＤ，ｎΔｔ）（ｋ＝１，３）を取得して、これらを用いて、以下に示す計算を行った結果得られるｆＤｋ（ｎΔｔ）を弦モデル計算部１０４に出力する。
【００７３】
以下、ダンパモデル計算部１０２における計算について説明する。
【００７４】
初期状態におけるピアノの弦は、ダンパによって振動を抑制された状態にある。ピアノの鍵を押し込んでいくと、対応するダンパが対応する弦から徐々に離れ出し、やがて弦はダンパの抵抗から完全に解放され、ハンマによる打弦に備える。また、ピアノにおいては、鍵の押込量だけでなくダンパペダルの踏込量によってもダンパと弦との接触度合を変えることができ、音の止まり方や弦共鳴の度合をきめ細かく制御することができる。
【００７５】
このようなピアノにおけるダンパのメカニズムは、以下の式（２）に示すダンパの抵抗力ｆＤｋ（ｔ）とダンパ変形量ｕｋ（ｘＤ，ｔ）との関係式をもって簡潔に表現することができる。
【００７６】
【数１２】
0005716370.tif 000013
【００７７】
この例においては、比較部１０１から出力されるｅＤ（ｎΔｔ）を式（２）に代入することで、ダンパの粘性係数に相当する量「ｂＤｅＤ（ｎΔｔ）」を離散時間軸（ｔ＝ｎΔｔ; ｎ＝０，１，２,・・・）上で逐次変化させるというアイデアにより、自然楽器のピアノと同様な自然で連続的な止音および弦共鳴の制御を可能にしている。
以上が、ダンパモデル計算部１０２の説明である。
【００７８】
［ハンマモデル］
ハンマモデル計算部１０３は、入力信号２（ＶＨ（ｎΔｔ））および入力信号４（ｅＳ（ｎΔｔ））を取得し、また、後述するようにして弦モデル計算部１０４から出力されるｕ１（ｘＨ，ｎΔｔ）を取得し、これらを用いて、以下に示す計算を行った結果得られるｆＨ（ｎΔｔ）を弦モデル計算部１０４に出力する。
【００７９】
以下、ハンマモデル計算部１０３における計算について説明する。
【００８０】
上述した物理モデルに関する仮定に、ニュートンの運動の法則を適用するとハンマの運動方程式は、式（３）のように書かれる。
【００８１】
【数１３】
0005716370.tif 000014
【００８２】
また、ハンマ先端が弦表面に及ぼす力とハンマ圧縮量の関係式は、式（４）のようになる。
【００８３】
【数１４】
0005716370.tif 000015
【００８４】
ただし、ハンマ先端が弦表面に接触しているときは式（５）、ハンマ先端が弦表面から離れているときは式（６）、（７）が適用される。
【００８５】
【数１５】
0005716370.tif 000016
【００８６】
演奏情報に基づいてハンマ速度ＶＨ（ｔ）が与えられるとき、ハンマ先端が弦表面から離れているという条件のもとに、ｗＨ（ｔ）＝WＨ 、ｄｗＨ（ｔ）／ｄｔ＝ＶＨ（ｔ）として、ハンマの状態を初期化すればよい。
【００８７】
さて、ピアノにおけるシフトペダルのメカニズムとは、それを踏み込むとハンマの位置が高音側へシフトし、ハンマの弦に接触する部分を変化させる、あるいは、ハンマと一部の弦との接触を不完全な状態にすることによって音色を制御するという機構であるが、この例においては、入力信号４（ｅＳ[iS]（ｎΔｔ））を式（４）に代入することにより、ハンマの弾性係数に相当する量ＫＨｅＳ[iS]（ｎΔｔ）を離散時間軸（ｔ＝ｎΔｔ; ｎ＝０，１，２，・・・）上で逐次変化させるというアイデアにより、自然楽器のピアノと同様な自然で連続的な音色の制御を可能にしている。以上が、ハンマモデル計算部１０３の説明である。
【００８８】
［弦モデル］
弦モデル計算部１０４は、弦に及ぼす力となる、ダンパモデル計算部１０２から出力されるｆＤｋ（ｎΔｔ）（ｋ＝１，３）およびハンマモデル計算部１０３から出力されるｆＨ（ｎΔｔ）、また、後述するようにして本体モデル計算部１０５から出力されるｕＢｋ（ｎΔｔ）（ｋ＝１，２，３）をそれぞれ取得し、これらを用いて、以下に示す計算を行った結果得られるｆＢｋ（ｎΔｔ）（ｋ＝１，２，３）を本体モデル計算部１０５に出力し、また、ｕｋ（ｘＤ，ｎΔｔ）（ｋ＝１，３）をダンパモデル計算部１０２に出力し、ｕ１（ｘＨ，ｎΔｔ）をハンマモデル計算部１０３に出力する。
【００８９】
以下、弦モデル計算部１０４における計算について説明する。
【００９０】
上述した物理モデルに関する仮定において、ニュートンの運動の法則を適用すると弦の運動方程式は、式（８）、（９）、（１０）のように書かれる。
【００９１】
【数１６】
0005716370.tif 000017
【００９２】
ただし、式（８）および式（１０）において、有限振幅に起因する非線形項は、それによる効果が小さいため省略してある。同様に、式（９）において、ハンマが弦軸方向に与える力についても、それによる効果が小さいため省略してある。なお、式（８）はハンマ重心の運動方向に対応する弦の曲げ振動に、式（１０）はハンマ重心の運動方向とは直交する方向に対応する弦の曲げ振動に、式（９）は弦の縦振動に、それぞれ対応している。
【００９３】
また、弦の境界条件は、式（１１）、（１２）のように書かれる。
【００９４】
【数１７】
0005716370.tif 000018
【００９５】
いま、「弦の変位」を「２つの支持端を結んだ直線に対する相対変位」と「２つの支持端を結んだ直線の変位」との和によって表した上で、更に、「２つの支持端を結んだ直線に対する相対変位」を「任意の時間関数を係数とする有限フーリエ正弦級数」によって表すことにする。即ち、「弦の変位」を式（１３）により表現する。ここで、式（１３）に含まれる正弦関数は、弦中心軸の弦支持端における変位を拘束した場合の弦の固有振動モードに他ならない。また、「２つの支持端を結んだ直線の変位」とは、「弦支持端の変位による弦の静的な変位」を意味している。
【００９６】
【数１８】
0005716370.tif 000019
【００９７】
このとき、式（１３）は任意の時刻ｔについて境界条件式（１１）、（１２）を満足している。
偏微分方程式（式（８）、（９）、（１０））に式（１３）を代入してから、sin（ikπx／l）（ik＝１，２，・・・，Mk； k＝１，２，３）をそれぞれ掛けて区間「0≦x≦l」で積分すると、以下に示す２階常微分方程式（式（１４）、（１５）、（１６））が導かれる。
【００９８】
【数１９】
0005716370.tif 000020
【００９９】
【数２０】
0005716370.tif 000021
【０１００】
弦が弦支持端に及ぼす力と支持端変位との関係式は、式（２５）、（２６）のように書かれる。
【０１０１】
【数２１】
0005716370.tif 000022
【０１０２】
更に、式（２５）、（２６）に式（１３）を代入することによって、式（２８）、（２９）が導かれる。ただし、非線形項と回転慣性に関する項は省略した。
【０１０３】
【数２２】
0005716370.tif 000023
【０１０４】
また、打弦点および止音点の変位は、式（１３）より、式（３０）、（３１）のように書かれる。
【０１０５】
【数２３】
0005716370.tif 000024
【０１０６】
以上が、弦モデル計算部１０４の説明である。
【０１０７】
［本体モデル］
本体モデル計算部１０５は、弦モデル計算部１０４から出力されるｆＢｋ（ｎΔｔ）を取得し、これを用いて、以下に示す計算を行った結果得られるＡＣ（ｎΔｔ）を空気モデル計算部１０６に出力し、ｕＢｋ（ｎΔｔ）（ｋ＝１，２，３）を弦モデル計算部１０４に出力する。
【０１０８】
以下、本体モデル計算部１０５における計算について説明する。
【０１０９】
上述した物理モデルに関する仮定により、本体の運動方程式は、以下のようなモード毎の２階常微分方程式（式（３２））として記述することができる。
【０１１０】
【数２４】
0005716370.tif 000025
【０１１１】
ところで、ピアノの本体は、木材や金属などから構成されるが、このうち、木材は「低周波成分に比べ高周波成分の振動減衰能が大きい」という特徴を有しており、このことがピアノ（あるいは木材で本体を構成された楽器）特有の「耳に心地よく温かい響き」の原因ともなっている。このような木材の音響的性質は、木材を「弾性係数と構造減衰係数の両方に３次元直交異方性を有する材料」としてモデル化することによって説明することができる（例えば参考文献１：日本機械学会（編）. 先端複合材料，pp.68-70. 技報堂出版，1990.）。
【０１１２】
「弾性係数と構造減衰係数の両方に３次元直交異方性を有する材料」を含むように構成された本体モデルは、一般構造減衰系（非比例構造減衰系、あるいは、一般ヒステリシス減衰系ともいう）となるため、実固有値解析によって減衰行列を対角化することができない（参考文献２）が、ここでは、減衰行列の非対角項を無視することによって、近似的に比例構造減衰系（比例ヒステリシス減衰系ともいう）とみなすことにする。
（参考文献２：長松昭男. モード解析. 培風館，1985.）
【０１１３】
更に、比例構造減衰系を比例粘性減衰系で近似する、即ち、「モード構造減衰係数／２」でモード減衰比を表すこととする。このとき、式（３２）に含まれる固有角振動数、モード減衰比、固有振動モードは、任意３次元形状の本体に対し、商用の有限要素法ソフトを用いた実固有値解析を行うことによって算出することができる。ここで、モード減衰比は、近似的モード減衰比というべきものであるが、ここでは、便宜上、単にモード減衰比ということとする。
なお、弦支持端の変位は、以下の式（３４）を用いることによって算出できる。
【０１１４】
【数２５】
0005716370.tif 000026
【０１１５】
以上が、本体モデル計算部１０５の説明である。
【０１１６】
［運動方程式の求解］
次に、上記の各モデルにおける運動方程式の解法の例について説明する。以下の説明では、ハンマの運動方程式（上記式（３））、弦のモード毎運動方程式（上記式（１４）、（１５）、（１６））、および本体のモード毎運動方程式（上記式（３２））をまとめて、「ハンマ−弦−本体の運動方程式」と呼ぶことにする。これらの運動方程式に、上記式（２）、（４）、（５）、（６）、（２８）、（２９）、（３０）、（３１）、（３４）を代入することにより、部分構造間の相互作用を表す変数ｆＤｋ[iD]（ｔ）、ｆＨ[iW]（ｔ）、ｗｅ（ｔ）、ｆＢｋ[iB]（ｔ）、ｕ１（ｘＨ，ｔ）、ｕｋ（ｘＤ[iD]，ｔ）、ｕＢｋ[iB]（ｔ）を消去すれば、「ハンマ−弦−本体の運動方程式」は、ハンマ重心の変位ｗH（ｔ）、弦の各固有振動モードのモード座標上での変位Ａｋ[mk]（ｔ）（mk＝１，２，・・・，Mk； ｋ＝１，２，３）、本体の各固有振動モードのモード座標上での変位ＡＣ[m]（ｔ）（m＝１，２，・・・，M）に関する連立非線形常微分方程式となる。いま、初期条件として演奏前の状態、即ち、静止状態を設定することにより、ここで扱っている問題は、いわゆる「連立非線形常微分方程式の初期値問題」と考えることができる。「連立非線形常微分方程式の初期値問題」は、なんらかの数値積分法（参考文献３）を用いることで、連立非線形代数方程式を離散時間軸上で逐次解いていく問題に変換することができる。
（参考文献３：日本機械学会編. 数値積分法の基礎と応用. コロナ社，2003.）
以下に、いくつかの解法例を示す。
【０１１７】
［全体をまとめて解く方法］
まず、ハンマモデル、弦モデル、本体モデルの運動方程式全体をまとめて解く方法を示す。上記の「ハンマ−弦−本体の運動方程式」（連立非線形常微分方程式）にニューマークβ法を適用すると、「ハンマ重心の加速度あるいは加速度増分」、「弦の各固有振動モードのモード座標上での加速度あるいは加速度増分」、および、「本体の各固有振動モードのモード座標上での加速度あるいは加速度増分」を未知量とする連立非線形代数方程式を導出することができる。ここで、「加速度あるいは加速度増分」と書いた理由は、ニューマークβ法として知られている数値積分法には、加速度を未知量とするアルゴリズムと、加速度増分を未知量とするアルゴリズムとの２通りが存在することによるものである。
【０１１８】
この連立非線形代数方程式に、ニュートン法を適用するか、あるいは、区間線形化法（参考文献３）によって連立線形代数方程式を導出した上で、直接法（例えばＬＵ分解法）または反復法（例えば共役勾配法）を適用することで、以下に説明する演算部１２０は、上記の未知量を離散時間軸上で逐次決定することができる。このように、全体をまとめて解く方法で演算を行う場合の構成について、図５を用いて説明する。
【０１１９】
図５は、本発明の実施形態に係る演算部１２０を有する楽音信号合成部１００の構成を示すブロック図である。全体をまとめて解く方法で演算を行う楽音信号合成部１００は、比較部１０１、演算部１２０、および空気モデル計算部１０６Ｚを有する。
演算部１２０は、上記のダンパモデル計算部１０２、ハンマモデル計算部１０３、弦モデル計算部１０４および本体モデル計算部１０５における計算をまとめた「ハンマ−弦−本体の運動方程式」を用いた演算を行う。演算部１２０は、比較部１０１からｅＤ（ｎΔｔ）を取得し、また、入力信号２（ＶＨ（ｎΔｔ））および入力信号４（ｅＳ（ｎΔｔ））を取得し、これらの情報と「ハンマ−弦−本体の運動方程式」とを用いた演算により、上記の未知量を逐次算出して決定する。ここでは、未知量のうち、「本体の各固有振動モードのモード座標上での速度」を示す情報（ｄ／ｄｔ（ＡＣ（ｎΔｔ）））を空気モデル計算部１０６Ｚに出力する。
【０１２０】
ここで、「本体の各固有振動モードのモード座標上での速度」は、「本体の各固有振動モードのモード座標上での変位の時間に関するｎ階導関数（ｎ＝１，２，・・・）」であってもよい。なお、速度は、変位が既知である場合には、変位の数値微分として、加速度が既知である場合には、加速度の数値積分として、簡単に算出することができる。
【０１２１】
［部分構造毎に解く方法］
続いて、ハンマモデル、弦モデル、本体モデルの運動方程式を部分構造（以下、ハンマモデル計算部１０３、弦モデル計算部１０４、本体モデル計算部１０５を総称して単に部分構造という）毎に解く方法を示す。この方法は、上述の「ハンマ−弦−本体の運動方程式」の説明において消去した部分構造間の相互作用を表す変数ｆＨ[iW]（ｔ）、ｆＢｋ[iB]（ｔ）、ｕ１（ｘＨ，ｔ）、ｕｋ（ｘＤ[iD]，ｔ）、ｕＢｋ[iB]（ｔ）の値を陽に計算し、部分構造間でそれらの値の授受を行いながら、部分構造毎に計算を進めるというものである。
【０１２２】
この解法を用いるとき、ハンマの運動方程式（上記式（３））を解くときに、弦と本体に関する未知量が含まれ、弦のモード毎運動方程式（上記式（１４）、（１５）、（１６））を解くときに、本体に関する未知量が含まれていることになるが、弦と本体に関する未知量を過去の値から外挿するなどして仮に定めておき、繰り返し計算を行うことで、安定に計算を進めることができる。以下に、数値積分法の違いによる３つの例を示す。
【０１２３】
第１の例として「差分方程式を導出する方法」について説明する。
ハンマの運動方程式（上記式（３））に対して、中央差分法を適用し、弦のモード毎運動方程式（上記式（１４）、（１５）、（１６））および本体のモード毎運動方程式（上記式（３２））に対して、双一次ｓ−ｚ変換法を適用することによって、一連の差分方程式が導出される。各差分方程式は、一般的な２次ＩＩＲフィルタ演算によって解くことができる。この方法では、「ハンマ重心の変位」、「弦の各固有振動モードのモード座標上での変位」、および、「本体の各固有振動モードのモード座標上での変位」を未知量として、それらの値を離散時間軸上で逐次決定していくことになる。
【０１２４】
第２の例として、「ガラーキン法」について説明する。
ハンマの運動方程式（上記式（３））、弦のモード毎運動方程式（上記式（１４）、（１５）、（１６））および本体のモード毎運動方程式（上記式（３２））に対して、時間に関する３次関数を試験関数とするガラーキン法（参考文献４）を適用することで、「ハンマ重心の加速度および加加速度」、「弦の各固有振動モードのモード座標上での加速度および加加速度」、「本体の各固有振動モードのモード座標上での加速度および加加速度」を未知量として、それらの値を離散時間軸上で、逐次決定するアルゴリズムが得られる。ここで、時間に関する３次関数ではなく４次関数を試験関数とするガラーキン法を用いた場合は、加速度、加加速度および加加加速度を未知量とするアルゴリズムが得られる。
（参考文献４：加川幸雄.有限要素法による振動・音響工学／基礎と応用. 培風館，1981.）
【０１２５】
第３の例として、「ニューマークβ法」について説明する。
ハンマの運動方程式（上記式（３））、弦のモード毎運動方程式（上記式（１４）、（１５）、（１６））および本体のモード毎運動方程式（上記式（３２））に対して、ニューマークβ法を適用することで、「ハンマ重心の加速度あるいは加速度増分」、「弦の各固有振動モードのモード座標上での加速度あるいは加速度増分」、および、「本体の各固有振動モードのモード座標上での加速度あるいは加速度増分」を未知量として、それらの値を離散時間軸上で、逐次決定するアルゴリズムが得られる。
【０１２６】
［全体をまとめて解く方法と部分構造毎に解く方法との中間の方法］
上記の「全体をまとめて解く方法」と「部分構造毎に解く方法」との中間の方法を用いることもできる。例えば、ハンマモデルと弦モデルとをまとめて、本体モデルは別に解く、あるいは、ハンマモデルをまず解いて、弦モデルと本体モデルとをまとめて解くという方法を用いてもよい。
【０１２７】
なお、上述のとおり、未知量である「ハンマ重心の変位」、「弦の各固有振動モードのモード座標上での変位」、および、「本体の各固有振動モードのモード座標上での変位」の各変位については、解法によって加速度、加加速度などである場合もある。更に、速度が変位の数値微分として、あるいは、加速度の数値積分として、簡単に算出できることも考慮すると、「ハンマ重心の変位」、「弦の各固有振動モードのモード座標上での変位」、および、「本体の各固有振動モードのモード座標上での変位」の各変位については、変位の時間に関するｎ階導関数（ｎ＝１，２，・・・）であってもよい。このことは、他の変位についても同様のことが言える。例えば、弦支持端の変位は、その変位の時間に関するｎ階導関数（ｎ＝１，２，・・・）であってもよい。
【０１２８】
［空気モデル（音響放射計算）］
空気モデル計算部１０６は、本体モデル計算部１０５から出力されるＡＣ（ｎΔｔ）を取得し、これを用いて、以下に示す計算を行った結果得られるＰ（ｎΔｔ）を出力する。
【０１２９】
以下、空気モデル計算部１０６における計算について説明する。
【０１３０】
任意３次元形状の本体から放射される空気中の任意の観測点における非定常音圧は、次式に示すような方法、即ち、「本体の各固有振動モードのモード座標上での速度と空気中の観測点における音圧との間のインパルス応答関数」と「本体の各固有振動モードのモード座標上での速度」との畳み込み積分を本体の固有振動モード毎に行い、それらの総和を計算するという方法によって算出することができる。
【０１３１】
【数２６】
0005716370.tif 000027
【０１３２】
式（３７）に含まれるH[iP][iG](ω)、即ち、「本体の各音響放射要素の速度と空気中の観測点における音圧との間の周波数応答関数」は、任意３次元形状の本体に対し、商用の境界要素法ソフトを用いた周波数応答解析を離散周波数軸上で行うことによって算出することができる。また、式（３６）は一般的なＩＦＦＴ（Inverse Fast Fourier Transform）演算によって、式（３５）に含まれる積分は一般的なＦＩＲ（Finite Impulse Response）フィルタの方法によって、それぞれ計算することができる。
【０１３３】
かくして、本体モデル計算部１０５から出力されるＡｃ[m]（ｎΔｔ）（m＝１，２，・・・，M）あるいは、Ａｃ[m]（ｎΔｔ）（m＝１，２，・・・，M）の時間に関する導関数を用いて、空気モデルからの出力信号、即ち、離散時間軸（ｔ＝ｎΔｔ; ｎ＝０，１，２,・・・）上における音圧Ｐ[iP]（ｎΔｔ）（iP＝１，２，・・・，IP）を逐次算出し、楽音信号として出力することができる。
【０１３４】
ここで、式（３５）中の畳み込み演算を時間領域ではなく周波数領域で行う高速畳み込み（fast convolution）と呼ばれている手法を用いることによって、更に飛躍的な高速化をはかることができる。このとき、高速畳み込みに含まれるＩＦＦＴ演算は、本体固有振動モード毎周波数領域畳み込み結果の総和をとった後に行えばよく、本体の固有振動モード毎に行う必要はない。
以上が、楽音信号合成部１００の構成の説明である。
【０１３５】
このように、楽音信号合成部１００は、楽器全体が３次元的に振動することによって生み出される豊かで立体的な響き、中低音域の弦を強打したときに聴こえるリンギングサウンド、鍵押し込み深さやペダル踏み込み深さに連動した多彩な音楽的ニュアンスなど、自然楽器のピアノ音が有する特質をリアルに表現する擬似ピアノ音を生成することができる。また、それらの特質を自然楽器のピアノと同じように、制御することが可能となる。
【０１３６】
具体的には、以下のようなものがある。例えば、弦長（＝弦支持点間の距離）あるいは打弦比（＝「弦長」／「ベアリング側弦支持端と打弦点との距離」)などのパラメータを
変更することにより、リンギングサウンドのレベルをコントロールすることが可能となる。以下では、特に、このリンギングサウンドについて、式（１５）を用いて説明する。ただし、ここでは説明を理解しやすくするために、式（１５）において、弦支持端の変位、弦y方向の変位および弦の内部粘性減衰係数を省略した式（３８）に従って説明することとする。
【０１３７】
【数２７】
0005716370.tif 000028
【０１３８】
式（３８）は、弦の縦振動第i2次固有振動の運動方程式であるが、右辺を周期的外力とみなすことにより、１自由度粘性減衰強制振動系の運動方程式として考えることができる。よく知られているように、この方程式の一般解は、減衰する自由振動解（斉次方程式の一般解）と持続する強制振動解（非斉次方程式の特解）の和によって構成されるが、強制振動解の性質とは、系が周期的外力の振動数で振動し、その振動数が系の固有振動数に近づくにつれ振幅が大きくなり、一致した時、共振するというものである。いま、弦の曲げ振動に関する各固有振動が調和振動であると仮定する、即ち、式（３９）のように書くことにする。
【０１３９】
【数２８】
0005716370.tif 000029
【０１４０】
このとき、式（３８）の右辺｛  ｝内は、式（４０）として導かれる。
【０１４１】
【数２９】
0005716370.tif 000030
【０１４２】
いま、i2を固定して、式（４０）に含まれる項cos2π(f1[m1]+f1[m1+i2])tがつくる系列に着目し、「この系列の第(2m1＋i2)次振動数f1[m1]+f1[m1+i2]の倍音系列周波数からのずれ」を計算すると、i2が小さいとき、その値が、「曲げ振動第(2m1＋i2)次固有振動数f1[2m1+i2]の倍音系列周波数からのずれ」の約１／４であることが確認できる。自然楽器のピアノ音を分析することにより「ピアノの部分音の系列には、倍音系列からの周波数のずれが主系列の約１／４である副系列が存在する」ことが知られており、従って前記項がつくる系列こそが前記副系列にあてはまる。なお、i2が大きくなるにつれ、この“ずれ量”は少しずつ大きくなる。
【０１４３】
また、式（４０）に含まれる項cos2π(f1[m1]+f1[i2-m1])tがつくる系列も上記副系列の形成に寄与していること、ただし、その寄与度は先の項よりも小さいことが理解できる。
【０１４４】
式（３８）に式（４０）を代入した式は、副系列の第(2m1＋i2)次の振動数f1[m1]+f1[m1+i2]が弦の縦振動の第i2次固有振動数に一致したとき共振現象が起こることを表している。これは、自然楽器のピアノ音が有する特徴的な現象である、「ピアノの部分音の系列には、倍音系列からの周波数のずれが主系列の約１／４である副系列が存在する」ことに加えて、「副系列の奇数次部分音の周波数が、弦の縦振動の奇数次固有振動数に一致するとき、又は、副系列の偶数次部分音の周波数が、弦の縦振動の偶数次固有振動数に一致するとき、副系列部分音のレベルが増大し、これがリンギングサウンドとなる」こと、より分析的な表現に変えると「弦の曲げ振動の奇数次固有振動数と偶数次固有振動数の和が、弦の縦振動の奇数次固有振動数に一致するとき、又は、弦の曲げ振動の１組の奇数次固有振動数の和、あるいは、１組の偶数次固有振動数の和が弦の縦振動の偶数次固有振動数に一致するとき、リンギングサウンドが生成される」こと（参考文献５）に対する、数学的な説明を与えるものである。
（参考文献５： J.Ellis. Longitudinal model in piano strings: Results of new research. Piano Technicians journal, pp.16-23, May 1998.）
【０１４５】
更に、「リンリン」、「ヒンヒン」といった唸り現象については、例えば、副系列第１５(＝７＋８＝２×７＋１)次と副系列第１５(＝６＋９＝２×６＋３)次とでは、振動数が僅かに異なるために、その振動数差が唸りを生むとして説明することができる。なお、式（４０）に含まれる項cos2π(f1[m1]−f1[m1+i2])tおよびcos2π(f1[m1]−f1[i2-m1])tは、曲げ振動の固有振動数よりも僅かに高い周波数を有する部分音の存在を示すものである。
【０１４６】
さて、弦の材料定数を固定して考えるとき、式（１８）より、弦の縦振動固有振動数は、弦長にのみ依存する。なお、ピアノの低音域に通常使用される、巻弦（鋼鉄の芯線に銅線が巻かれている弦）については、この限りではない。
【０１４７】
標準的な８８鍵ピアノのおよそ第３０鍵からおよそ第４０鍵までの音域においては、弦長の設定が原因となって、副系列第１５(＝７＋８＝２×７＋１)次の振動数と弦の縦振動基本固有振動数が近接している場合がある。そのような場合でも、打弦比を「７」または「８」に設定することで、リンギングサウンドの過剰なレベル増大を回避することができる。
【０１４８】
なぜならば、副系列第１５(＝７＋８＝２×７＋１)次は、曲げ振動の第７次固有振動と第８次固有振動による生成物であるが、打弦比を「７」または「８」に設定すると曲げ振動の第「７」次または第「８」次の固有振動は欠落してしまうため、副系列第１５(＝７＋８＝２×７＋１)次は生成されないからである。この場合でも、依然として副系列第１５(＝６＋９＝２×６＋３)次などは存在するが、これらが縦振動の基本固有振動と共振することは無い。
【０１４９】
以上、リンギングサウンドの発生メカニズムとそのレベルを制御する設計因子（弦長、打弦比）について説明したが、弦の縦振動そのものは、空気中に音響を放射する能力をほとんど持ち合わせていないから、リンギングサウンドが音として聴こえるためには、いま説明した「弦の非線形（有限振幅）振動機構」に加え、「弦と本体との３次元連成振動機構」（「弦の本体に対する取り付け角度」や「駒の形状」などの設計因子がこれに含まれる）および「本体の３次元音響放射機構」（「駒の形状」はこれにも含まれる）の考慮が不可欠であることは言うまでもない。
【０１５０】
ところで、自然楽器のピアノの開発現場において、ピアノ音の改良とは、ピアノという複雑なシステムの全体最適解を求めることに他ならないが、従来行われてきた試行錯誤的方法による最適解の模索は、ピアノのような多くの設計因子と誤差因子（天然材料の物性のばらつきや整音など人間による作業のばらつきなど）を有する巨大な音響構造体にとっては、特に、効率が悪い。本発明は、ピアノの仕様（原因）と音（結果）との因果関係を定量的に明らかにするものであるから、設計シミュレータとしてピアノ開発効率の向上にも貢献するものである。上記に加え、物理モデルによる楽音合成方法の利点は、現実のシミュレーションを超えた超自然的効果（例えば、現実には製作が困難な著しく大きなピアノなど）を仮想的に生成できる点にある。
【０１５１】
＜変形例＞
以上、本発明の実施形態について説明したが、本発明は以下のように、さまざまな態様で実施可能である。
［変形例１］
上述した実施形態において、弦モデル計算部１０４は、弦に及ぼす力として、ダンパモデル計算部１０２から出力されるｆＤｋ（ｎΔｔ）（ｋ＝１，３）、ハンマモデル計算部１０３から出力されるｆＨ（ｎΔｔ）、および本体モデル計算部１０５から出力されるｕＢｋ（ｎΔｔ）（ｋ＝１，２，３）をそれぞれ取得していたが、ｆＤｋ（ｎΔｔ）（ｋ＝１，３）とｆＨ（ｎΔｔ）との一方または双方については、他の計算方法により算出されたものを取得するようにしてもよい。また、実施形態において、空気モデル計算部１０６は、本体モデル計算部１０５から出力されるＡＣ（ｎΔｔ）に基づいて、空気モデルを用いた計算により楽音信号Ｐ（ｎΔｔ）を算出していたが、他の計算方法により楽音信号Ｐ（ｎΔｔ）を算出してもよい。
ｆＤｋ（ｎΔｔ）（ｋ＝１，３）とｆＨ（ｎΔｔ）との双方が他の計算方法により算出され、楽音信号Ｐ（ｎΔｔ）が空気モデル以外を用いた計算方法により算出される場合の構成について図６を用いて説明する。
【０１５２】
図６は、本発明の変形例１に係る楽音信号合成部１００Ａの構成を示すブロック図である。楽音信号合成部１００Ａは、実施形態における比較部１０１、ダンパモデル計算部１０２およびハンマモデル計算部１０３に代えて力計算部１０７を有し、実施形態における空気モデル計算部１０６に代えて楽音信号計算部１０８を有する。
【０１５３】
力計算部１０７は、変換部１１０から出力され楽音信号合成部１００Ａに入力される各入力信号に基づいて、ｆＤｋ（ｎΔｔ）（ｋ＝１，３）とｆＨ（ｎΔｔ）とに相当する情報を算出して、弦モデル計算部１０４Ａに出力する。
力計算部１０７は、ｆＨ（ｎΔｔ）とに相当する情報を算出するに当たり、弦モデル計算部１０４Ａからｕ１（ｘＨ，ｎΔｔ）を取得せず、予め決められたｕ１（ｘＨ，ｎΔｔ）を用いる。力計算部１０７は、このｕ１（ｘＨ，ｎΔｔ）を各入力信号に基づいて予め決められた算出式により算出してもよい。
また、力計算部１０７は、ｆＤｋ（ｎΔｔ）（ｋ＝１，３）とに相当する情報を算出するに当たり、弦モデル計算部１０４Ａからｕｋ（ｘＤ，ｎΔｔ）（ｋ＝１，３）を取得せず、予め決められたｕｋ（ｘＤ，ｎΔｔ）（ｋ＝１，３）を用いる。力計算部１０７は、このｕｋ（ｘＤ，ｎΔｔ）（ｋ＝１，３）を各入力信号に基づいて予め決められた算出式により算出してもよい。
【０１５４】
なお、力計算部１０７は、実施形態における比較部１０１、ダンパモデル計算部１０２およびハンマモデル計算部１０３と置き換えたものとして説明したが、ハンマモデル計算部１０３を実施形態と同じ構成として、比較部１０１およびダンパモデル計算部１０２を置き換えたものとしてもよい。逆に、力計算部１０７は、比較部１０１およびダンパモデル計算部１０２を実施形態と同じ構成として、ハンマモデル計算部１０３を置き換えたものとしてもよい。すなわち、弦モデル計算における結果のうち、実施形態において弦に及ぼす力の計算に用いられているｕ１（ｘＨ，ｎΔｔ）とｕｋ（ｘＤ，ｎΔｔ）（ｋ＝１，３）との一方または双方を用いずに、弦に及ぼす力が計算されるようにしてもよい。
【０１５５】
楽音信号計算部１０８は、本体モデル計算部１０５から出力されるＡＣ（ｎΔｔ）に基づいて、楽音信号Ｐ（ｎΔｔ）を算出する。楽音信号計算部１０８は、この楽音信号Ｐ（ｎΔｔ）の算出において、ＡＣ（ｎΔｔ）を用いた予め決められた算出式を用いて計算するものであればよい。このとき、楽音信号Ｐ（ｎΔｔ）は、空気中の任意の観測点における非定常音圧を示すものでなくてもよく、本体の任意の位置における振動を示すものであってもよい。なお、楽音信号計算部１０８は、本体モデル計算部１０６から弦モデル計算部１０４Ａに出力されるｕＢｋ（ｎΔｔ）（ｋ＝１，２，３）に基づいて、楽音信号Ｐ（ｎΔｔ）を算出してもよい。
【０１５６】
［変形例２］
上述した実施形態において、シフトペダル１６ｂが取り除かれた構成の電子楽器を用いてもよい。この場合の構成について、図７、図８を用いて説明する。
【０１５７】
図７は、本発明の変形例２に係る電子楽器１Ｂの構成を示すブロック図である。電子楽器１Ｂは、例えば、電子ピアノであり、制御部１１Ｂ、記憶部１２Ｂ、ユーザ操作部１３Ｂ、演奏操作部１５Ｂおよび放音部１７Ｂを有している。これらの各部は、バス１８Ｂを介して互いに接続されている。ユーザ操作部１３Ｂ、放音部１７Ｂおよびバス１８Ｂは、実施形態に係る電子楽器１におけるユーザ操作部１３、放音部１７およびバス１８と同様な機能を有するため、説明を省略する。
【０１５８】
演奏操作部１５Ｂは、実施形態における演奏操作部１５とは異なり、シフトペダル１６ｂが取り除かれている。そのため、ペダル位置センサ１６Ｂｃは、ダンパペダル１６ａの踏込量を検出する。演奏操作部１５Ｂにおける他の構成は、実施形態における演奏操作部１５と同様な機能を有するため、説明を省略する。
【０１５９】
記憶部１２Ｂは、実施形態における記憶部１２とは異なり、ハンマ先端が弦表面に及ぼす力ｆＨ（ｎΔｔ）を記憶している。この値は、実施形態におけるシフトペダル１６ｂが踏込まれていない状態（レスト位置）における値を示す。
【０１６０】
制御部１１Ｂは、実施形態における制御部１１とは異なり、制御プログラムを実行して実現される楽音信号合成部１００のうち、ハンマモデル計算部１０３を用いない楽音信号合成部１００Ｂを実現する。
【０１６１】
図８は、楽音信号合成部１００Ｂの構成を示すブロック図である。図８に示すように、楽音信号合成部１００Ｂには、ハンマモデル計算部１０３がない。弦モデル計算部１０４Ｂ−１、１０４Ｂ−２は、ハンマモデル計算部１０３から出力されるｆＨ（ｎΔｔ）を取得するのではなく、記憶部１２Ｂに記憶されたｆＨ（ｎΔｔ）を取得する。楽音信号合成部１００Ｂにおける他の構成については、実施形態における楽音信号合成部１００と同様の機能を有するため、説明を省略する。
【０１６２】
なお、ハンマモデル計算部１０３が存在しない構成としなくても、実施形態における楽音信号合成部１００において、ｅＳ（ｎΔｔ）＝１に固定（シフトペダルがレスト位置に固定）された状態にすることにより、シフトペダルが存在しない場合を実現してもよい。
【０１６３】
［変形例３］
上述した実施形態において、ダンパペダル１６ａが取り除かれた構成の電子楽器を用いてもよい。この場合の構成について、図９、図１０を用いて説明する。
【０１６４】
図９は、本発明の変形例３に係る電子楽器１Ｃの構成を示すブロック図である。電子楽器１Ｃは、例えば、電子ピアノであり、制御部１１Ｃ、記憶部１２Ｃ、ユーザ操作部１３Ｃ、演奏操作部１５Ｃおよび放音部１７Ｃを有している。これらの各部は、バス１８Ｃを介して互いに接続されている。ユーザ操作部１３Ｃ、放音部１７Ｃおよびバス１８Ｃは、実施形態に係る電子楽器１におけるユーザ操作部１３、放音部１７およびバス１８と同様な機能を有するため、説明を省略する。
【０１６５】
演奏操作部１５Ｃは、実施形態における演奏操作部１５とは異なり、ダンパペダル１６ａが取り除かれている。そのため、ペダル位置センサ１６Ｃｃは、シフトペダル１６ｂの踏込量を検出する。演奏操作部１５Ｃにおける他の構成は、実施形態における演奏操作部１５と同様な機能を有するため、説明を省略する。
【０１６６】
記憶部１２Ｃは、実施形態における記憶部１２とは異なり、ダンパの抵抗力ｆＤｋ（ｎΔｔ）を記憶している。この値は、実施形態におけるダンパペダル１６ａが踏込まれていない状態（レスト位置）における値を示す。
【０１６７】
制御部１１Ｃは、実施形態における制御部１１とは異なり、制御プログラムを実行して実現される楽音信号合成部１００のうち、比較部１０１およびダンパモデル計算部１０２−１、１０２−２を用いない楽音信号合成部１００Ｃを実現する。
【０１６８】
図１０は、楽音信号合成部１００Ｃの構成を示すブロック図である。図１０に示すように、楽音信号合成部１００Ｃには、比較部１０１およびダンパモデル計算部１０２−１、１０２−２がない。弦モデル計算部１０４Ｃ−１、１０４Ｃ−２は、ダンパモデル計算部１０２から出力されるｆＤｋ（ｎΔｔ）を取得するのではなく、記憶部１２Ｃに記憶されたｆＤｋ（ｎΔｔ）を取得する。楽音信号合成部１００Ｃにおける他の構成については、実施形態における楽音信号合成部１００と同様の機能を有するため、説明を省略する。
【０１６９】
なお、比較部１０１およびダンパモデル計算部１０２−１、１０２−２が存在しない構成としなくても、実施形態における楽音信号合成部１００において、ｅｐ（ｎΔｔ）＝１に固定（ダンパペダルがレスト位置に固定）された状態にすることにより、ダンパペダルが存在しない場合を実現してもよい。
【０１７０】
［変形例４］
上述した実施形態において、ダンパペダル１６ａおよびシフトペダル１６ｂが取り除かれた構成の電子楽器を用いてもよい。この場合の構成について、図１１、図１２を用いて説明する。
【０１７１】
図１１は、本発明の変形例４に係る電子楽器１Ｄの構成を示すブロック図である。電子楽器１Ｄは、例えば、電子ピアノであり、制御部１１Ｄ、記憶部１２Ｄ、ユーザ操作部１３Ｄ、演奏操作部１５Ｄおよび放音部１７Ｄを有している。これらの各部は、バス１８Ｄを介して互いに接続されている。ユーザ操作部１３Ｄ、放音部１７Ｄおよびバス１８Ｄは、実施形態に係る電子楽器１におけるユーザ操作部１３、放音部１７およびバス１８と同様な機能を有するため、説明を省略する。
【０１７２】
演奏操作部１５Ｄは、実施形態における演奏操作部１５とは異なり、ペダル部１６が取り除かれている。そのため、ペダル位置センサも存在しない。演奏操作部１５Ｄにおける他の構成は、実施形態における演奏操作部１５と同様な機能を有するため、説明を省略する。
【０１７３】
記憶部１２Ｄは、実施形態における記憶部１２とは異なり、ダンパの抵抗力ｆＤｋ（ｎΔｔ）、およびハンマ先端が弦表面に及ぼす力ｆＨ（ｎΔｔ）を記憶している。これら値は、実施形態におけるダンパペダル１６ａおよびシフトペダル１６ｂが踏込まれていない状態（レスト位置）における値を示す。
【０１７４】
制御部１１Ｄは、実施形態における制御部１１とは異なり、制御プログラムを実行して実現される楽音信号合成部１００のうち、比較部１０１、ダンパモデル計算部１０２−１、１０２−２、およびハンマモデル計算部１０３を用いない楽音信号合成部１００Ｄを実現する。
【０１７５】
図１２は、楽音信号合成部１００Ｄの構成を示すブロック図である。図１２に示すように、楽音信号合成部１００Ｄには、比較部１０１、ダンパモデル計算部１０２−１、１０２−２およびハンマモデル計算部１０３がない。弦モデル計算部１０４Ｄ−１、１０４Ｄ−２は、ダンパモデル計算部１０２から出力されるｆＤｋ（ｎΔｔ）およびハンマモデル計算部１０３から出力されるｆＨ（ｎΔｔ）を取得するのではなく、記憶部１２Ｄに記憶されたｆＤｋ（ｎΔｔ）およびｆＨ（ｎΔｔ）を取得する。楽音信号合成部１００Ｄにおける他の構成については、実施形態における楽音信号合成部１００と同様の機能を有するため、説明を省略する。
【０１７６】
なお、比較部１０１、ダンパモデル計算部１０２−１、１０２−２およびハンマモデル計算部１０３が存在しない構成としなくても、実施形態における楽音信号合成部１００において、ｅＳ（ｎΔｔ）＝１に固定（シフトペダルがレスト位置に固定）、およびｅｐ（ｎΔｔ）＝１に固定（ダンパペダルがレスト位置に固定）された状態にすることにより、シフトペダルおよびダンパペダルが存在しない場合を実現してもよい。
【０１７７】
［変形例５］
上述した実施形態においては、例えば、鍵盤部１５ａ、ペダル部１６の操作に応じて発音させる電子楽器１として機能させるために、リアルタイムに楽音信号合成処理を行っていたが、楽音制御データに応じて発音させる場合などにおいては、非リアルタイム処理としてもよい。
【０１７８】
この場合には、例えば、１曲分の楽音制御データを用いて、「楽器本体の固有振動モード毎の時間軸上速度データ」の算出を先に行っておき、そのデータと「本体の固有振動モードと空気中の観測点との間のインパルス応答または周波数応答のデータ」との畳み込み演算を後から行うということもできる。これは、観測点の位置のみ変更した場合の楽音合成が容易に行えることを意味する。
【０１７９】
［変形例６］
上述した実施形態においては、楽音信号合成処理は、ピアノの音を模擬した楽音信号を合成処理するものであったが、ピアノに限らず、振動する弦と、弦を支持し、弦の振動が伝達されることによって空気中に音響を放射する本体とを有する３次元構造の楽器であれば、どのような楽器（例えば、チェンバロ、琴、ギターなど）であってもよい。なお、琴のように弦が張られた両端の間に柱（ピアノの駒に相当）が設けられるような場合には、弦支持端の一端は柱となる。
【０１８０】
［変形例７］
上述した実施形態における制御プログラムは、磁気記録媒体（磁気テープ、磁気ディスクなど）、光記録媒体（光ディスクなど）、光磁気記録媒体、半導体メモリなどのコンピュータ読み取り可能な記録媒体に記憶した状態で提供し得る。また、電子楽器１は、制御プログラムをネットワーク経由でダウンロードしてもよい。
【符号の説明】
【０１８１】
１，１Ｂ，１Ｃ，１Ｄ…電子楽器、１１，１１Ｂ，１１Ｃ，１１Ｄ…制御部、１１ａ…ＣＰＵ、１１ｂ…ＤＳＰ、１１ｃ…ＲＯＭ、１１ｄ…ＲＡＭ、１１ｅ…信号インターフェイス、１１ｆ…内部バス、１２，１２Ｂ，１２Ｃ，１２Ｄ…記憶部、１３，１３Ｂ，１３Ｃ，１３Ｄ…ユーザ操作部、１３ａ…操作パネル、１３ｂ…マウス、１３ｃ…操作スイッチ、１３ｄ…キーボード、１４…表示部、１５，１５Ｂ，１５Ｃ，１５Ｄ…演奏操作部、１５ａ…鍵盤部、１５ｂ…黒鍵、１５ｃ…白鍵、１５ｄ…鍵位置センサ、１５ｅ…鍵速度センサ、１６…ペダル部、１６ａ…ダンパペダル、１６ｂ…シフトペダル、１６ｃ，１６Ｂｃ，１６Ｃｃ…ペダル位置センサ、１７，１７Ｂ，１７Ｃ，１７Ｄ…放音部、１７ａ…デジタルアナログ変換器、１７ｂ…スピーカ、１８，１８Ｂ，１８Ｃ，１８Ｄ…バス、２１…グランドピアノ、２１ａ…鍵、２１ｂ…鍵盤、２１ｃ…ハンマ、２１ｄ…アクション機構、２１ｅ…弦、２１ｅａ…駒、２１ｅｂ…ベアリング、２１ｆ…ダンパ、２１ｈ…キャビネット、２１ｊ…本体、１００，１００Ａ，１００Ｂ，１００Ｃ，１００Ｄ…楽音信号合成部、１０１…比較部、１０２−１、１０２−２…ダンパモデル計算部、１０３…ハンマモデル計算部、１０４−１，１０４Ａ−１，１０４Ｂ−１，１０４Ｃ−１，１０４Ｄ−１，１０４−２，１０４Ａ−２，１０４Ｂ−２，１０４Ｃ−２，１０４Ｄ−２…弦モデル計算部、１０５…本体モデル計算部、１０６…空気モデル計算部、１０７…力計算部、１０８…楽音信号計算部、１１０…変換部、１２０…演算部
【図１】
0005716370.tif 000031
【図２】
0005716370.tif 000032
【図３】
0005716370.tif 000033
【図４】
0005716370.tif 000034
【図５】
0005716370.tif 000035
【図６】
0005716370.tif 000036
【図７】
0005716370.tif 000037
【図８】
0005716370.tif 000038
【図９】
0005716370.tif 000039
【図１０】
0005716370.tif 000040
【図１１】
0005716370.tif 000041
【図１２】
0005716370.tif 000042